(57)【要約】【課題】コンクリート面に生じるひび割れの未然防止や、ひび割れが伸長するのを防止するために、予め、土間コンクリートや壁面コンクリートに行う不連続部または溝の形成施工に用いる、コンクリートの縁を面取り出来る鏝を提供する。【解決手段】鏝板の使用面の長手方向に、使用面に垂直な面と前記垂直な面から使用面に角度を有した斜面を持つ断面略三角柱形状の面取り部を、垂直な面が向き合うように２個設ける。面取り部の垂直な面と斜面の交点から鏝板の使用面の長手方向に角度を有した斜面も追加する。面取り対象物への軌跡が曲線となるように、少なくとも１個の面取り部の長手方向の長さを短くする。【選択図】図１
2014163040.tif 000002
【特許請求の範囲】
【請求項１】
鏝板と柄から構成される鏝において、鏝板の使用面の長手方向に、使用面に垂直な面と前記垂直な面から使用面に角度を有した斜面を持つ断面略三角柱形状の面取り部を、垂直な面が向き合うように２個設けたことを特徴とする鏝。
【請求項２】
２個の面取り部を、使用面に平行に設けたことを特徴とする、請求項１記載の鏝。
【請求項３】
面取り部の垂直な面と斜面の交点から鏝板の使用面の長手方向に角度を有した斜面を追加したことを特徴とする、請求項１または２記載の鏝。
【請求項４】
鏝板に設けた水平方向の長孔を介して、少なくとも１個の面取り部を設けたことを特徴とする、請求項１、２または３のいずれか１項に記載の鏝。
【請求項５】
面取り対象物への軌跡が曲線となるように、少なくとも１個の面取り部の長手方向の長さを短くしたことを特徴とする、請求項１、２、３及び４のいずれか１項に記載の鏝。
【請求項６】
面取り対象物への軌跡が曲線となるように、２個の面取り部の向き合う垂直な面を湾曲させてなることを特徴とする、請求項１、３、４または５のいずれか１項に記載の鏝。
【請求項７】
少なくとも１個の鏝に対して回動自在な連結部材で２個の鏝を鏝板の使用面の長手方向に連結し、前方の鏝の背面を正面方向に又は後方の鏝の正面を背面方向に面取りしたことを特徴とする、請求項１、２、３、４、５または６のいずれか１項に記載の鏝。
【請求項８】
面取り部が弾性体であることを特徴とする、請求項１至乃のいずれか１項に記載の鏝。
【発明の詳細な説明】
【技術分野】
【０００１】
本発明はコンクリート面に生じるひび割れの未然防止や、ひび割れが伸長するのを防止するために、予め、土間コンクリートや壁面コンクリートに行う不連続部または溝の形成施工に用いる鏝に関するものである。
【背景技術】
【０００２】
コンクリート面に生じるひび割れの未然防止や、ひび割れが伸長するのを防止するために、以下の技術がある。
例えば、コンクリートの収縮低減剤を型枠の表面に塗布し、その後に塗布面に接してコンクリートを打設して行う工法がある（特許文献１参照）。
他には、コンクリートに不連続面または溝を形成する部分へ型枠に代えて自然分解性躯体を配置し、打設したコンクリートに不連続部または底部が連続している凹状の溝を形成し、前記自然分解性躯体が自然に分解するようにした工法もある（特許文献２参照）。
一方、コンクリート面の形成に使用する鏝には、以下の技術がある。
例えば、剛性の異なる鏝板を使用することでコンクリートの硬度に応じて、1本の鏝でも平面に仕上げるものがある（特許文献３参照）。
【先行技術文献】
【特許文献】
【０００３】
【特許文献１】特開平１１−２５６８１９号公報
【特許文献２】特許４９９３３９５号公報
【特許文献３】特開平１１−６２８２号公報
【発明の概要】
【発明が解決しようとする課題】
【０００４】
前記特許文献１に記載の工法は型枠の組み立て及び取り外しが必要となるため、作業性及びコストの問題がある。
この問題を解決するために、本発明の発明者は前記特許文献２に記載の工法を開発した。この工法によれば特許文献１のような型枠の組み立ては必要なく、かつ躯体は自然分解性素材であるから取り除く必要もない。よって作業性向上及びコスト低減がはかれる。
躯体は上下方向を複数の層構造とし、設置後にコンクリートを打設し、数日後に上部の層を剥離して植栽穴に植物を植える。よって美観を備えた不連続面または溝の形成が出来る。
また躯体を曲線形状とすることにより、デザイン性に優れた不連続面または溝を形成することも出来る。
しかし、この工法で効率的に不連続面または溝を形成するには、打設したコンクリートの縁を面取りする必要がある。これは、打設したコンクリートの縁の形状が直線でなく波型等になり躯体の縁を覆うこと、打設したコンクリートの水分により躯体が膨張するため躯体の上部の層を剥離しやすくする必要があるからである。
これを解決するには、躯体の縁に沿って動かすことで、コンクリートの縁を面取り出来る鏝のような道具があればよい。
ところが、前記特許文献３に記載の鏝では、コンクリートを平面に仕上げることは出来ても、躯体の縁に接しているコンクリートの縁を面取り出来ない。
以上から、躯体の縁に接するコンクリートの縁を面取り出来る鏝を提供することが課題である。
【課題を解決するための手段】
【０００５】
前記課題を解決するために、本発明に係る鏝は以下の８つの手段を有する。
【０００６】
１つ目は、鏝板と柄から構成される鏝において、鏝板の使用面の長手方向に、使用面に垂直な面と前記垂直な面から使用面に角度を有した斜面を持つ断面略三角柱形状の面取り部を、垂直な面が向き合うように２個設けたことを特徴とする。
【０００７】
２つ目は、２個の面取り部を、使用面に平行に設けたことを特徴とする。
【０００８】
３つ目は面取り部の垂直な面と斜面の交点から鏝板の使用面の長手方向に角度を有した斜面を追加したことを特徴とする。
【０００９】
４つ目は、鏝板に設けた水平方向の長孔を介して、少なくとも１個の面取り部を設けたことを特徴とする。
【００１０】
５つ目は、面取り対象物への軌跡が曲線となるように、少なくとも１個の面取り部の長手方向の長さを短くしたことを特徴とする。
【００１１】
６つ目は、面取り対象物への軌跡が曲線となるように、２個の面取り部の向き合う垂直な面を湾曲させてなることを特徴とする。
【００１２】
７つ目は、少なくとも１個の鏝に対して回動自在な連結部材で２個の鏝を鏝板の使用面の長手方向に連結し、前方の鏝の背面を正面方向に又は後方の鏝の正面を背面方向に面取りしたことを特徴とする。
【００１３】
８つ目は面取り部が弾性体であることを特徴とする。
【発明の効果】
【００１４】
前記１つ目の手段により、鏝を躯体の縁に沿って鏝板の使用面の長手方向に動かすことで、躯体の縁に接しているコンクリートの縁を、鏝の面取り部の使用面に向けた斜面の有した角度で面取り出来る。
【００１５】
前記２つ目の手段により、鏝の柄を握った手を躯体と平行に動かして面取り出来るため、手首や肘の負担を少なく出来る。
【００１６】
前記３つ目の手段により、躯体の縁に接しているコンクリートの縁へ最初に、鏝の面取り部の鏝板の使用面の長手方向に角度を有した斜面を当てることで、少ない力で面取り出来る。
【００１７】
前記４つ目の手段により、躯体の幅に応じて面取り出来る。
【００１８】
前記５つ目の手段により、躯体が曲線形状でも使用面に垂直な面を躯体の縁に沿って鏝を動かせるため面取り出来る。
【００１９】
前記６つ目の手段により、躯体が曲線形状でも使用面に垂直な面を躯体の縁に沿って鏝を動かせるため面取り出来る。
【００２０】
前記７つ目の手段により、前方または後方の鏝が回動し、かつ回動を妨げないように前方と後方の鏝のそれぞれが面取りされているため、躯体が曲線形状でも面取り出来る。
【００２１】
前記８つ目の手段により、躯体が曲線形状でも面取り出来る。
【図面の簡単な説明】
【００２２】
【図１】本発明に係る鏝の実施形態を表す正面図である。
【図２】本発明に係る鏝の実施形態を表す平面図である。
【図３】本発明に係る鏝の実施形態を表す左側面図である。
【図４】本発明に係る鏝の実施形態を表す底面図である。
【図５】本発明に係る鏝の別の実施形態を表す正面図である。
【図６】本発明に係る鏝の別の実施形態を表す左側面図である。
【図７】本発明に係る鏝の更に別の実施形態を表す平面図である。
【図８】本発明に係る鏝の更に別の実施形態を表す左側面図である。
【図９】本発明に係る鏝の更に別の実施形態を表す底面図である。
【発明を実施するための形態】
【００２３】
以下、本発明に係る鏝を図面により説明する。
なお、本記載は特許請求の範囲を説明した例であり、特許請求範囲を本記載に限定することを意味するものではない。
【００２４】
本発明に係る鏝の実施形態を図１から４により説明する。
図１は本発明に係る鏝の実施形態を表す正面図、図２は本発明に係る鏝の実施形態を表す平面図、図３は本発明に係る鏝の実施形態を表す左側面図、図４は本発明に係る鏝の実施形態を表す底面図である。鏝１は図１から３に示すように柄２と鏝板３から構成している。鏝板３は図１、３、４に示すように面取り部４を設けている。
面取り部４は図１、４に示すように、鏝板３の使用面３Ａの長手方向Ｙに、使用面に垂直な面４Ａと、この面から使用面３Ａに角度を有した、使用面に角度を有した斜面４Ｂを設けている。図１に示すように、使用面に角度を有した斜面４Ｂは使用面３Ａに角度を有しているため、面取り部４の使用面の垂直方向Ｚの断面形状は略三角形となり、よって面取り部４は断面略三角柱形状である。
鏝１は図１、４に示すように、２個の面取り部４を、使用面に垂直な面４Ａが向き合うように設けている。
本発明に係る鏝の１つ目の解決手段はこれらの構成としたことである。これにより図示していないが、柄２を握って鏝１を躯体の縁に沿って使用面の長手方向Ｙに動かすことで、躯体の縁に接しているコンクリートの縁を、使用面に角度を有した斜面４Ｂの角度で面取り出来る。
なお面取り部４は図１から４に示すように、取り付け部材５及び長孔６を用いて鏝板３に取り付ける。面取り部４の使用面３Ａと接する側にも孔を設けて、蝶ネジで取り付けたことを表している。図示していないが蝶ボルトとナットで取り付けてもかまわない。当然一般的なネジ、またはボルトとナットでもかまわない。
また１個の面取り部４に対して２組の取り付け部材５及び長孔６を用いているが、１組または３組以上を用いてもかまわない。
【００２５】
本発明に係る鏝の２つ目の解決手段は、図１、４に示すように２個の面取り部４を、更に使用面３Ａに平行に設けたことである。これにより柄２を握った手を躯体と平行に動かして面取り出来るため、手首や肘の負担を少なく出来る。
【００２６】
本発明に係る鏝の別の実施形態を図５、６により説明する。
図５は本発明に係る鏝の別の実施形態を表す正面図、図６は本発明に係る鏝の別の実施形態を表す左側面図である。
面取り部４は図５、６に示すように、使用面に垂直な面４Ａと使用面に角度を有した斜面４Ｂの交点から、使用面の長手方向Ｙに角度を有した、使用面の長手方向に角度を有した斜面４Ｃを設けている。
本発明に係る鏝の３つ目の解決手段はこの構成としたことである。これにより図示していないが、躯体の縁に接しているコンクリートの縁へ最初に、使用面の長手方向に角度を有した斜面４Ｃを当てることで、少ない力で面取り出来る。
【００２７】
本発明に係る鏝の４つ目の解決手段は図２、４に示すように、使用面の水平方向Ｘに長い長孔６を設けたことである。これにより躯体の幅に応じて面取り出来る。
なお図示していないが図５、６に示した別の実施形態でも長孔６とすることは出来る。
【００２８】
本発明に係る鏝の更に別の実施形態を図７〜９により説明する。
図７は本発明に係る鏝の更に別の実施形態を表す平面図、図８は本発明に係る鏝の更に別の実施形態を表す左側面図、図９は本発明に係る鏝の更に別の実施形態を表す底面図である。
面取り部４の少なくとも１個を図８、９に示すように、面取り対象物（今回であればコンクリートの縁）への軌跡が曲線となるように、使用面の長手方向Ｙの長さを短くしている。面取り対象物（今回であればコンクリートの縁）への軌跡が曲線となれば、どのくらい短くてもよい。
本発明に係る鏝の５つ目の解決手段はこの構成としたことである。これにより躯体が曲線形状でも、使用面に垂直な面４Ａを躯体の縁に沿って鏝１を動かせるため面取りが出来る。
なお図９では、２個の面取り部材４とも使用面の長手方向Ｙの長さを短くしており、躯体が複雑な曲線形状でも面取り出来る。
なお図８には示していないが、図６に示した別の実施形態の、使用面の長手方向に角度を有した斜面４Ｃも設けることは出来る。
また面取り部４は、図１〜４に示した実施形態や、図５、６に示した別の実施形態と同様に、図７〜９に示すように取り付け部材５及び長孔６を用いて鏝板３に取り付ける。図８、９では使用面の長手方向Ｙの中心に設けているが端に設けてもかまわない。
【００２９】
本発明に係る鏝の６つ目の解決手段は、面取り対象物（今回であればコンクリートの縁）への軌跡が曲線となるように、使用面に垂直な面４Ａを２個とも湾曲させたことである。
図示していないが、図７から９に示した更に別の実施形態と別の考え方で、使用面に垂直な面４Ａを湾曲させたものである。面取り対象物（今回であればコンクリートの縁）への軌跡が曲線となれば、どのくらい湾曲させてもよい。これにより躯体が曲線形状でも、使用面に垂直な面４Ａを躯体の縁に沿って鏝１を動かせるため面取り出来る。
【００３０】
本発明に係る鏝の７つ目の解決手段は、少なくとも１個の鏝１に対して回動自在な連結部材で２個の鏝１を使用面３Ａの長手方向Ｙに連結し、前方の鏝１の背面を正面方向に又は後方の鏝１の正面を背面方向に面取りしたことである。
図示していないが、図７から９に示した更に別の実施形態と別の考え方で、面取り対象物（今回であればコンクリートの縁）への軌跡が曲線となるように、２個の鏝１を回動自在な連結部材で列車のように連結したものである。前方の鏝１と後方の鏝１とが干渉しないように、前方の鏝１の背面を正面方向に又は後方の鏝１の正面を背面方向に面取りしている。前方の鏝１の背面を正面方向にかつ後方の鏝１の正面を背面方向に面取りしていれば更に干渉しない。これにより躯体が曲線形状でも面取り出来る。
【００３１】
本発明に係る鏝の８つ目の解決手段は、面取り部４を弾性体にしたことである。
図示していないが、図７から９に示した更に別の実施形態と別の考え方で、面取り対象物（今回であればコンクリートの縁）への軌跡が曲線となるように、面取り部４を弾性体にしたものである。弾性体としては、エラストマー、ゴム、金属ばね等があげられる。
これにより躯体が曲線形状でも面取り出来る。
【符号の説明】
【００３２】
１  鏝
２  柄
３  鏝板
３Ａ  使用面
４  面取り部
４Ａ  使用面に垂直な面
４Ｂ  使用面に角度を有した斜面
４Ｃ  使用面の長手方向に角度を有した斜面
５  取り付け部材
６  長孔
Ｘ  使用面の水平方向
Ｙ  使用面の長手方向
Ｚ  使用面の垂直方向
【図１】
2014163040.tif 000003
【図２】
2014163040.tif 000004
【図３】
2014163040.tif 000005
【図４】
2014163040.tif 000006
【図５】
2014163040.tif 000007
【図６】
2014163040.tif 000008
【図７】
2014163040.tif 000009
【図８】
2014163040.tif 000010
【図９】
2014163040.tif 000011